【手続補正書】
【提出日】平成23年6月15日(2011.6.15)
【手続補正１】
【補正対象書類名】明細書
【補正対象項目名】発明の名称
【補正方法】変更
【補正の内容】
【発明の名称】電池監視装置と電池監視用半導体装置
【手続補正２】
【補正対象書類名】特許請求の範囲
【補正対象項目名】全文
【補正方法】変更
【補正の内容】
【特許請求の範囲】
【請求項１】
細長形状を有し長手方向に曲げ応力がかかる環境で取扱われる実装基板と、上記実装基板に面付された電池監視用半導体装置とを有し、上記実装基板が監視すべき電池に接続されて使用される電池監視装置であって、
上記電池監視用半導体装置は、
タブと、
上記実装基板に面付けされたとき上記長手方向において上記タブを挟んで両側にそれぞれ配置され上記長手方向と直交する方向に細長形状にされた第１電極と、
上記タブの両側に対応してそれぞれ配置され、上記半導体装置の側縁からの位置において少なくとも上記細長形状の第１電極の配置位置よりも内側に位置する部分を備えた第２電極と、
上記タブに搭載された充放電制御部と監視部を含む半導体チップと、
上記細長形状の第１電極とそれに対応した上記充放電制御部の複数の第１ボンディングパッドとの間にそれぞれ設けられた複数の第１ボンディングワイヤであって、該複数のボンディングワイヤの上記第１電極への接続部が上記細長形状第１電極の細長方向に並ぶようにそれぞれ接続された上記複数の第１ボンディングワイヤと、
上記第２電極とそれに対応した上記監視部の第２ボンディングパッドとの間にそれぞれ設けられた１本の第２ボンディングワイヤと、
上記タブ、第１電極及び第２電極の裏面側を露出させた状態で上記半導体チップ、上記第１及び第２ボンディングワイヤを含んで封止する樹脂パッケージと
を有し、
上記実装基板は、
上記タブに対応して設けられた第３電極と、
上記電池監視用半導体装置の第１電極及び第２電極に対応して設けられた第４電極及び第５電極と、
上記実装基板の長手方向の両端に設けられ、監視すべき電池の対応する電源端子に接続される第１電源端子及び第２電源端子と、
上記第１電源端子及び第２電源端子のそれぞれに対応した上記４電極及び第５電極間を接続する配線と
を有し、
上記電池監視用半導体装置の上記タブの裏面側と上記実装基板の上記第３電極の表面とが導電性接合材により接続され、上記電池監視用半導体装置の上記第１電極及び第２電極と上記実装基板の上記第４電極及び第５電極とが導電性接合材によりそれぞれ接続されて上記面付けされてなる、
電池監視装置。
【請求項２】
請求項１において、
上記第２電極は、上記直交方向において上記第１電極の細長方向の長さよりも短く、上記長手方向において上記第１電極よりも内側に延長する長形に形成されてなる、
電池監視装置。
【請求項３】
請求項１において、
上記半導体チップは、上記監視すべき電池の充放電制御を行う上記充放電制御部を構成する第１半導体チップと、上記充放電制御用の制御信号を形成する上記監視部を構成する第２半導体チップからなり、
上記タブは、上記第１半導体チップに対応した第１タブと、上記第２半導体チップに対応した第２タブからなり、
上記第１電極は、上記第１半導体チップと接続され、
上記第２電極は、上記第２半導体チップと接続され、
上記第２半導体チップで形成された上記制御信号を上記第１半導体チップに伝えるボンディングワイヤを更に有し、
上記実装基板の上記第３電極は、上記第１タブ及び第２タブにそれぞれ対応した２つの電極からなる、
電池監視装置。
【請求項４】
請求項３において、
上記第２電極のそれぞれは、上記長手方向において上記第１電極の最内側よりも中心寄りの内側に設けられ、上記第２電極の上記長手方向の延長線上の外側に第１ダミー電極を更に有し、
上記実装基板には、上記第１ダミー電極に対応した第２ダミー電極を更に有し、
上記第１ダミー電極と上記第２ダミー電極とは、前記接合材により接続される、
電池監視装置。
【請求項５】
請求項４において、
上記第１及び第２ダミー電極は、それぞれに対応した第２電極及び第５電極よりも大きな面積とされる、
電池監視装置。
【請求項６】
請求項４において、
上記第２電極と第１ダミー電極とは一体的に形成され、
上記第５電極と上記第２ダミー電極とは一体的に形成され、
上記一体的に形成された第２電極と第１ダミー電極と上記第５電極と上記第２ダミー電極とは、上記接合材により接続される、
電池監視装置。
【請求項７】
請求項６において、
上記一体的に形成された第２電極と第１ダミー電極及び上記第５電極と上記第２ダミー電極とは、上記実装基板の短手方向に対して凹型にされる、
電池監視装置。
【請求項８】
請求項６において、
上記一体的に形成された第２電極と第１ダミー電極及び上記第５電極と上記第２ダミー電極とは、上記実装基板の長手方向に対して凸型にされる、
電池監視装置。
【請求項９】
請求項６において、
上記一体的に形成された第２電極と第１ダミー電極及び上記第５電極と上記第２ダミー電極とは、上記実装基板の長手方向に対してＬ字状にされる、
電池監視装置。
【請求項１０】
請求項３において、
上記第２電極は、上記長手方向において最外側が上記第１電極の最内側よりも中心寄りの内側に設けられ、
上記第１電極は、上記第２電極の上記長手方向の延長線上まで延びるよう上記短手方向に延長させられる、
電池監視装置。
【請求項１１】
二次電池に装着される電池監視装置に組み込んで使用される電池監視用半導体装置であって、
上記電池監視装置は、実装基板と上記実装基板に面付された電池監視用半導体装置とで構成されるものであり、上記実装基板は、細長形状を有し長手方向に曲げ応力がかかる環境で取扱われるものであり、上記半導体装置の電極が導電性接合材により接続される電極部と、上記実装基板の長手方向の両端に設けられ監視すべき上記二次電池の対応する電源端子に接続される電源端子と、該電源端子と対応する上記電極部をそれぞれ接続する配線とを有し、
上記電池監視用半導体装置は、
タブと、
上記実装基板に面付けされたとき上記長手方向において上記タブを挟んで両側にそれぞれ配置され上記長手方向と直交する方向に細長形状にされた第１電極と、
上記タブの両側に対応してそれぞれ配置され、上記半導体装置の側縁からの位置において少なくとも上記細長形状の第１電極の配置位置よりも内側に位置する部分を備えた第２電極と、
上記タブに搭載された充放電制御部と監視部を含む半導体チップと、
上記細長形状の第１電極とそれに対応する上記充放電制御部の複数の第１ボンディングパッドとの間にそれぞれ設けられた複数の第１ボンディングワイヤであって、該複数のボンディングワイヤの上記第１電極への接続部が上記細長形状第１電極の細長方向に並ぶようにそれぞれ接続された上記複数の第１ボンディングワイヤと、
上記第２電極とそれに対応した上記監視部の第２ボンディングパッドとの間にそれぞれ設けられた１本の第２ボンディングワイヤと、
上記タブ、第１電極及び第２電極の裏面側を露出させた状態で上記半導体チップ、上記第１及び第２ボンディングワイヤを含んで封止する樹脂パッケージと
を有し、
上記半導体装置の裏面に露出する上記タブ、第１電極及び第２電極を上記実装基板に形成された対応する電極部にそれぞれ面付けされるように構成されてなる、
電池監視用半導体装置。
【請求項１２】
請求項１１において、
上記半導体チップは、上記監視すべき電池の充放電制御を行う上記充放電制御部を構成する第１半導体チップと、上記充放電制御用の制御信号を形成する上記監視部を構成する第２半導体チップからなり、
上記タブは、上記第１半導体チップに対応した第１タブと、上記第２半導体チップに対応した第２タブからなり、
上記第１電極は、上記第１半導体チップと接続され、
上記第２電極は、上記第２半導体チップと接続され、
上記第２半導体チップで形成された上記制御信号を上記第１半導体チップに伝えるボンディングワイヤを更に有し、
上記実装基板の上記電極部は、上記第１タブ及び第２タブにそれぞれ対応した２つの電極部からなる、
電池監視用半導体装置。
【請求項１３】
請求項１１又は１２において、
上記第２電極は、上記直交方向において上記第１電極の細長方向の長さよりも短く、上記長手方向において上記第１電極よりも内側に延長する長形に形成されてなる、
電池監視用半導体装置。
【請求項１４】
請求項１１乃至１３のいずれかにおいて、
上記第２電極のそれぞれは、上記長手方向において上記第１電極の最内側よりも中心寄りの内側に設けられ、上記第２電極の上記長手方向の延長線上の外側にダミー電極を更に有し、上記第２電極と上記ダミー電極が対応する上記記実装基板の電極部に上記接合材によりそれぞれ接続されるように構成された、
電池監視用半導体装置。
【請求項１５】
請求項１４において、
上記第２電極と対応する上記ダミー電極は、上記直交方向において凹型形状を構成するように一体的に形成され、対応する上記実装基板の電極部は上記凹型形状電極構成に対応して凹型に形成されてなる、
電池監視用半導体装置。
【請求項１６】
請求項１４において、
上記第２電極と対応する上記ダミー電極は上記長手方向において凸型形状を構成するように一体的に形成され、対応する上記実装基板の電極部は上記凸型形状電極構成に対応して凸型に形成されてなる、
電池監視用半導体装置。
【請求項１７】
請求項１４において、
上記第２電極と対応する上記ダミー電極は上記長手方向においてＬ字形に一体的に形成され、対応する上記実装基板の電極部は上記Ｌ字形に対応してＬ字形に形成されてなる、 電池監視用半導体装置。
【請求項１８】
請求項１４において、
上記第２電極が、上記長手方向において上記第１電極の細長端部と上記タブの間に位置し上記第１電極の上記細長端部が上記ダミー電極を構成するように配置されてなる、
電池監視用半導体装置。